(57)【要約】【課題】従来、複数のローカル画面を用いたマルチ画面表示システムにおいては、すべてのローカル画面で同一解像度、同一画面構成である必要があった。【解決手段】本発明は、大画面制御計算機１により複数の大画面表示計算機６、１０を統括制御し、複数のローカル画面１７、１９を所望に組み合わせたマルチ画面７０に画像を表示するマルチ画面表示システムであって、マルチ画面７０に表示する画像の描画命令を与える描画命令部２と、マルチ画面７０と各ローカル画面１７、１９との、対応関係を示す対応情報としてのマルチ画面構成データ８０を設定する設定部としての大画面構成設定部４と、描画命令に基づく画像を元に、マルチ画面構成データ８０に基づいて、各ローカル画面１７、１９に対応する画像を生成し描画処理に供する描画処理部８、１２、１３、１４、１５とを備える。【選択図】図１
2011242422.tif 000002
【特許請求の範囲】
【請求項１】
大画面制御計算機により複数の大画面表示計算機を統括制御し、各前記大画面表示計算機は各対応するローカル画面に画面出力を行い、各前記ローカル画面はそれぞれ複数のディスプレイ装置を所望に配置してなり、前記大画面制御計算機と前記大画面表示計算機により、複数の前記ローカル画面を所望に組み合わせたマルチ画面に画像を表示するマルチ画面表示システムであって、
前記マルチ画面に表示する前記画像の描画命令を与える描画命令部と、
前記マルチ画面と各前記ローカル画面との、対応関係を示す対応情報を設定する設定部と、
前記描画命令及び前記対応情報に基づいて、前記各ローカル画面に対応する画像を生成し描画処理に供する描画処理部とを備える、
マルチ画面表示システム。
【請求項２】
前記各ローカル画面は、１または複数の表示領域に区分され、
前記マルチ画面において、前記各ローカル画面は前記区分された各前記表示領域ごとに分割されて配置される、
請求項１に記載のマルチ画面表示システム。
【請求項３】
前記描画命令と、前記対応情報とを前記大画面制御計算機から前記大画面表示計算機に伝達する通信路をさらに備え、
前記描画処理部は前記表示領域の各々に対応して各前記大画面表示計算機に備えられる、
請求項２に記載のマルチ画面表示システム。
【発明の詳細な説明】
【技術分野】
【０００１】
本発明は、複数の画面により１つの表示画面を構成するマルチ画面表示システムに関する。
【背景技術】
【０００２】
従来、１台のディスプレイで表示可能な解像度を超える高解像度の図形表示を実現する手段として、複数のディスプレイを格子状に配置して各ディスプレイの表示を別々の表示計算機で行い、一体の画面として表示可能とするマルチディスプレイ図形表示装置についての技術が開示されていた（特許文献１、２参照）。
【０００３】
また、１台の表示計算機で複数のディスプレイによる図形表示を可能とするマルチディスプレイカードという製品が販売されている。このマルチディスプレイカードは、２〜８台のディスプレイを組み合わせて、一体として図形表示が可能である。さらにこのマルチディスプレイカードを１台の表示計算機に複数枚接続して、より多くのディスプレイ表示を可能とする製品もある。なお、マルチディスプレイカードの仕様や計算機側の仕様により、同時に接続できる枚数に上限がある。
【先行技術文献】
【特許文献】
【０００４】
【特許文献１】特公平２−６１７５９号公報
【特許文献２】特開平３−２０１０８０号公報
【発明の概要】
【発明が解決しようとする課題】
【０００５】
しかしながら、従来のマルチディスプレイ図形表示装置では、ディスプレイがマトリクス状に配置され一体となって１つの矩形領域を構成することを前提とし、それぞれのディスプレイは同一のサイズの矩形領域を表示することを前提としており、マルチディスプレイカードを使ったとしても各表示計算機で表示する解像度およびディスプレイ構成はすべて同一としなければならないという問題があった。
【０００６】
例えば、縦画面数が３、横画面数が５のような画面構成を実現したい場合、３つのディスプレイ出力を持つマルチディスプレイカードで縦画面数が３、横画面数が１で同一解像度になるように構成して、表示計算機５台で表示する必要があった。
【０００７】
この発明は上記のような問題点を解決するためになされたもので、異なる解像度や画面構成を持った画面を組み合わせて、一体となって表示することが可能なマルチ画面表示システムを提供することを目的とする。
【課題を解決するための手段】
【０００８】
本発明は、大画面制御計算機により複数の大画面表示計算機を統括制御し、各前記大画面表示計算機は各対応するローカル画面に画面出力を行い、各前記ローカル画面はそれぞれ複数のディスプレイ装置を所望に配置してなり、前記大画面制御計算機と前記大画面表示計算機により、複数の前記ローカル画面を所望に組み合わせたマルチ画面に画像を表示するマルチ画面表示システムであって、前記マルチ画面に表示する前記画像の描画命令を与える描画命令部と、前記マルチ画面と各前記ローカル画面との、対応関係を示す対応情報を設定する設定部と、前記描画命令及び前記対応情報に基づいて、前記各ローカル画面に対応する画像を生成し描画処理に供する描画処理部とを備える。
【発明の効果】
【０００９】
本発明によれば、大画面制御計算機により複数の大画面表示計算機を統括制御し、各前記大画面表示計算機は各対応するローカル画面に画面出力を行い、各前記ローカル画面はそれぞれ複数のディスプレイ装置を所望に配置してなり、前記大画面制御計算機と前記大画面表示計算機により、複数の前記ローカル画面を所望に組み合わせたマルチ画面に画像を表示するマルチ画面表示システムであって、前記マルチ画面に表示する前記画像の描画命令を与える描画命令部と、前記マルチ画面と各前記ローカル画面との、対応関係を示す対応情報を設定する設定部と、前記描画命令及び前記対応情報に基づいて、前記各ローカル画面に対応する画像を生成し描画処理に供する描画処理部とを備えることにより、異なる解像度や画面構成を持ったローカル画面を所望に組み合わせたマルチ画面に画像を表示することが可能となる。
【図面の簡単な説明】
【００１０】
【図１】この発明の実施の形態１であるマルチ画面表示システムの概念図である。
【図２】この発明の実施の形態１であるマルチ画面表示システムのマルチ画面構成データを示す図である。
【図３】この発明の実施の形態１であるマルチ画面表示システムの大画面表示計算機のローカル画面構成データを示す図である。
【図４】この発明の実施の形態１であるマルチ画面表示システムの大画面表示計算機のローカル画面構成データを示す図である。
【図５】この発明の実施の形態１であるマルチ画面表示システムにおいて、楕円を描画することを説明するための図である。
【図６】この発明の実施の形態１であるマルチ画面表示システムにおいて、表示領域Ａに対応する大画面表示計算機の表示領域に表示された楕円の一部を示す図である。
【図７】この発明の実施の形態１であるマルチ画面表示システムにおいて、表示領域Ｂに対応する大画面表示計算機の表示領域に表示された楕円の一部を示す図である。
【図８】この発明の実施の形態１であるマルチ画面表示システムにおいて、表示領域Ｃに対応する大画面表示計算機の表示領域に表示された楕円の一部を示す図である。
【図９】この発明の実施の形態１であるマルチ画面表示システムにおいて、表示領域Ｄに対応する大画面表示計算機の表示領域に表示された楕円の一部を示す図である。
【図１０】この発明の実施の形態１であるマルチ画面表示システムにおいて、表示領域Ｅに対応する大画面表示計算機の表示領域に表示された楕円の一部を示す図である。
【図１１】本発明の前提技術である１６面構成のマルチ画面表示システムの概念図である。
【図１２】本発明の前提技術である１５面構成のマルチ画面表示システムの概念図である。
【発明を実施するための形態】
【００１１】
本発明の前提技術として、図１１、１２に示すような、各表示計算機で表示する解像度および画面構成がすべて同一のマルチ画面表示システムがある。図１１は、大画面制御計算機２９によりネットワーク３５を介して制御される、大画面表示計算機３０、３１を備え、大画面表示計算機３０、３１それぞれに対応するローカル画面３２、３３を組み合わせてマルチ画面３４を形成するマルチ画面表示システムであるが、ローカル画面３２とローカル画面３３との画面構成および解像度は同一のものである。また図１２は、大画面制御計算機３６によりネットワーク４２を介して制御される、大画面表示計算機３７、３８、３９、４０、４１を備え、大画面表示計算機３７、３８、３９、４０、４１それぞれに対応するローカル画面４３、４４、４５、４６、４７を組み合わせてマルチ画面４８を形成するマルチ画面表示システムであるが、縦画面数が３、横画面数が５のような画面構成を実現したい場合、３つの画面出力を持つマルチディスプレイカードで縦画面数が３、横画面数が１で同一解像度になるように構成して、表示計算機５台で表示する必要があった。
【００１２】
本発明は、このような解像度、画面構成の制限をなくし、異なる解像度や画面構成を持った画面を組み合わせて、一体となって表示することが可能なマルチ画面表示システムであり、詳細は以下の実施の形態に示す。
【００１３】
＜Ａ．実施の形態１＞
＜Ａ−１．構成＞
図１は、この発明の実施の形態１にかかるマルチ画面表示システムの全体構成を示す図である。図１においてマルチ画面表示システムは、大画面制御計算機１と、大画面制御計算機１とネットワーク６０を介して通信可能な大画面表示計算機６、１０と、マルチ画面７０と、大画面表示計算機６、１０それぞれに対応するローカル画面１７、１９とを備える。大画面制御計算機１により複数の大画面表示計算機６、１０を統括制御し、各大画面表示計算機６、１０に各対応するローカル画面１７、１９に画面出力を行い、各ローカル画面１７、１９はそれぞれ複数のディスプレイ装置を所望に配置してなり、大画面制御計算機１と大画面表示計算機６、１０により、複数のローカル画面１７、１９を所望に組み合わせたマルチ画面７０に画像を表示する。
【００１４】
大画面制御計算機１は、Ｍｉｃｒｏｓｏｆｔ（登録商標）社のＷｉｎｄｏｗｓ（登録商標）オペレーティングシステムやＬｉｎｕｘ（登録商標）オペレーティングシステムが動作し、Ｅｔｈｅｒｎｅｔ（登録商標）Ｉ／ＦなどのネットワークＩ／Ｆを備えた一般的な構成のパソコン（パーソナルコンピュータ）である。
【００１５】
大画面表示計算機６及び大画面表示計算機１０は、Ｍｉｃｒｏｓｏｆｔ社のＷｉｎｄｏｗｓオペレーティングシステムやＬｉｎｕｘオペレーティングシステムが動作し、ＥｔｈｅｒｎｅｔＩ／ＦなどのネットワークＩ／Ｆを備え、８画面出力が可能なディスプレイカードを備えたコンピュータである。
【００１６】
ネットワーク６０は、大画面制御計算機１及び大画面表示計算機６及び大画面表示計算機１０を接続する、例えば、Ｅｔｈｅｒｎｅｔのようなものである。
【００１７】
マルチ画面７０は、大画面表示計算機６及び大画面表示計算機１０と接続され、１つのディスプレイ装置の解像度が例えば１０２４×７６８画素であり、横５個、縦３個のディスプレイ装置から構成される。マルチ画面７０は、図に示すように表示領域Ａ２４、表示領域Ｂ２５、表示領域Ｃ２６、表示領域Ｄ２７、表示領域Ｅ２８と５つの表示領域に分割されているものとする。
【００１８】
ローカル画面１７は大画面表示計算機６の表示するローカル画面、ローカル画面１９は大画面表示計算機１０の表示するローカル画面である。
【００１９】
ローカル画面１７における表示領域１８は、表示領域Ａ２４に対応する大画面表示計算機６のローカル画面１７上の概念的に区分された領域、ローカル画面１９における表示領域２０は、表示領域Ｂ２５に対応する大画面表示計算機１０のローカル画面１９上の概念的に区分された領域、表示領域２１は、表示領域Ｃ２６に対応する大画面表示計算機１０のローカル画面１９上の概念的に区分された領域、表示領域２２は、表示領域Ｄ２７に対応する大画面表示計算機１０のローカル画面１９上の概念的に区分された領域、表示領域２３は、表示領域Ｅ２８に対応する大画面表示計算機１０のローカル画面１９上の概念的に区分された領域である。これらの概念的に区分された表示領域は、マルチ画面７０において分割されて配置可能である。なお各表示領域は、例えば１または複数のディスプレイ装置に対応するものである。
【００２０】
＜Ａ−２．動作＞
大画面制御計算機１において、描画命令部２より与えられる描画命令は、マルチ画面表示システムでマルチ画面７０に表示すべき図形の描画命令であり、例えば、Ｍｉｃｒｏｓｏｆｔ社のＷｉｎｄｏｗｓオペレーティングシステムにおけるＧＤＩ関数のような描画命令のようなものである。
【００２１】
描画命令送信部３は、描画命令部２より与えられた描画命令を、通信路としてのネットワーク６０を介して大画面表示計算機６及び大画面表示計算機１０へ送信する。
【００２２】
大画面制御計算機１における設定部としての大画面構成設定部４は、ユーザーから入力されたマルチ画面７０の画面上の表示領域と、大画面表示計算機６及び大画面表示計算機１０の画面上の表示領域を関連付けた複数の表示領域対応情報を、マルチ画面構成データ８０として出力し、大画面構成管理部５へ設定する。
【００２３】
大画面構成管理部５は、マルチ画面構成データ８０から対応する表示領域対応情報のみを、大画面表示計算機６のローカル画面構成管理部９、及び大画面表示計算機１０のローカル画面構成管理部１６へネットワーク６０を介して送信する。なお、本実施の形態１では、マルチ画面構成データ８０は大画面制御計算機１において生成、記憶されるが、大画面表示計算機６、１０において、それぞれ生成、記憶されるものであってもよい。
【００２４】
大画面表示計算機６において、ローカル画面構成管理部９は、大画面構成管理部５から受信したマルチ画面構成データ８０をローカル画面構成データ８１として保持すると共に、対応する表示領域Ａ２４を表示する描画処理部８を、大画面表示計算機６のプロセスとして生成する。
【００２５】
描画命令受信部７は、描画命令送信部３から送信された描画命令を受信し、描画処理部８へ渡す。
【００２６】
描画処理部８は、描画命令に含まれるマルチ画面全体の座標情報を、以下の示す変換式（１）及び変換式（２）によって大画面表示計算機６の表示領域１８のローカル座標に変換し、マルチ画面７０の表示領域Ａ２４に対応する大画面表示計算機６の表示領域１８に座標変換によって生成した画像の描画処理を行う。なお、本実施の形態１では、大画面表示計算機６の描画処理部８において座標変換を行っているが、大画面制御計算機１において予め座標変換がされるものであってもよい。
【００２７】
変換式（１）
座標変換後の描画命令のＸ方向座標値  ＝  座標変換前の描画命令のＸ方向座標値  −  ディスプレイ装置１個の横方向解像度  ×  対応する表示領域の横方向面位置
変換式（２）
座標変換後の描画命令のＹ方向座標値  ＝  座標変換前の描画命令のＹ方向座標値  −  ディスプレイ装置１個の縦方向解像度  ×  対応する表示領域の縦方向面位置
また、大画面表示計算機１０において、ローカル画面構成管理部１６は、大画面構成管理部５から受信したマルチ画面構成データ８０をローカル画面構成データ８２として保持すると共に、表示領域Ｂ２５を表示する描画処理部１２、表示領域Ｃ２６を表示する描画処理部１３、表示領域Ｄ２７を表示する描画処理部１４、表示領域Ｅ２８を表示する描画処理部１５を、大画面表示計算機１０のプロセスとして生成する。
【００２８】
描画命令受信部１１は、描画命令送信部３から送信された描画命令を受信し、描画処理部１２、描画処理部１３、描画処理部１４、描画処理部１５へそれぞれ渡す。
【００２９】
描画処理部１２は、描画命令に含まれるマルチ画面全体の座標情報を、変換式（１）及び変換式（２）によって大画面表示計算機１０の表示領域２０のローカル座標に変換し、マルチ画面７０の表示領域Ｂ２５に対応する大画面表示計算機１０の表示領域２０に座標変換によって生成した画像の描画処理を行う。
【００３０】
描画処理部１３は、描画命令に含まれるマルチ画面全体の座標情報を、変換式（１）及び変換式（２）によって大画面表示計算機１０の表示領域２１のローカル座標に変換し、マルチ画面７０の表示領域Ｃ２６に対応する大画面表示計算機１０の表示領域２１に座標変換によって生成した画像の描画処理を行う。
【００３１】
描画処理部１４は、描画命令に含まれるマルチ画面全体の座標情報を、変換式（１）及び変換式（２）によって大画面表示計算機１０の表示領域２２のローカル座標に変換し、マルチ画面７０の表示領域Ｄ２７に対応する大画面表示計算機１０の表示領域２２に座標変換によって生成した画像の描画処理を行う。
【００３２】
描画処理部１５は、描画命令に含まれるマルチ画面全体の座標情報を、変換式（１）及び変換式（２）によって大画面表示計算機１０の表示領域２３のローカル座標に変換し、マルチ画面７０の表示領域Ｅ２８に対応する大画面表示計算機１０の表示領域２３に座標変換によって生成した画像の描画処理を行う。
【００３３】
なお、本実施の形態１では、大画面表示計算機１０の描画処理部１２、１３、１４、１５において座標変換を行っているが、大画面制御計算機１において予め座標変換がされるものであってもよい。
【００３４】
次に、大画面構成設定部４による、マルチ画面７０の画面上の表示領域と、大画面表示計算機６及び大画面表示計算機１０の画面上の表示領域とを関連付けた表示領域対応情報であるマルチ画面構成データ８０の設定動作について、図１を使って説明する。
【００３５】
まず、ユーザーは、マルチ画面７０の表示領域Ａ２４を大画面表示計算機６のローカル画面１７上の表示領域１８に、マルチ画面７０の表示領域Ｂ２５を大画面表示計算機１０のローカル画面１９上の表示領域２０に、マルチ画面７０の表示領域Ｃ２６を大画面表示計算機１０のローカル画面１９上の表示領域２１に、マルチ画面７０の表示領域Ｄ２７を大画面表示計算機１０のローカル画面１９上の表示領域２２に、マルチ画面７０の表示領域Ｅ２８を大画面表示計算機１０のローカル画面１９上の表示領域２３に、それぞれ割り当てるように大画面構成設定部４に情報を入力する。
【００３６】
例えば、マルチ画面７０における表示領域を、マルチ画面７０上の位置を（マルチ画面７０の左端からの画面数−１、マルチ画面７０の上端からの画面数−１）、大きさを（横画面数、縦画面数）と表現し、また、大画面表示計算機６及び大画面表示計算機１０での表示領域を、大画面表示計算機６、１０のＩＰアドレス、大画面表示計算機６、１０上の位置を（大画面表示計算機６、１０の左端からの画面数−１、大画面表示計算機６、１０の上端からの画面数−１）、大きさを（横画面数、縦画面数）で表現するものとすると、図１の場合、マルチ画面構成データ８０は図２に示すような情報となり、構成は、表示領域、マルチ画面における位置、サイズ、大画面表示計算機における位置、サイズ、大画面表示計算機のＩＰアドレスとなっている。
【００３７】
次に、大画面構成管理部５は、生成され出力されたマルチ画面構成データ８０を元に、大画面表示計算機６及び大画面表示計算機１０に対応するマルチ画面構成データ８０を送信する。
【００３８】
例えば、大画面表示計算機６の対応するマルチ画面構成データ８０は表示領域Ａ２４であり、この情報が大画面表示計算機６のローカル画面構成管理部９へ送られる。同様に大画面表示計算機１０に対応するマルチ画面構成データ８０は表示領域Ｂ２５、表示領域Ｃ２６、表示領域Ｄ２７、表示領域Ｅ２８であり、それぞれが大画面表示計算機１０のローカル画面構成管理部１６へ送られる。
【００３９】
大画面表示計算機６のローカル画面構成管理部９は、受信した表示領域Ａ２４に対応するマルチ画面構成データ８０をローカル画面構成データ８１として登録する。図３は登録されたローカル画面構成データ８１であり、構成は、マルチ画面における位置、サイズ、大画面表示計算機における位置、サイズとなっている。
【００４０】
そして、ローカル画面構成データ８１に保存されている表示領域対応情報に基づき、描画命令の座標変換を実施し、表示領域Ａ２４に対応する大画面表示計算機６の画面上の表示領域１８に描画を行う描画処理部８を、大画面表示計算機６上のプロセスとして生成する。
【００４１】
大画面表示計算機１０のローカル画面構成管理部１６は、受信したい表示領域Ｂ２５、表示領域Ｃ２６、表示領域Ｄ２７、表示領域Ｅ２８に対応するマルチ画面構成データ８０をローカル画面構成データ８２として登録する。図４は登録されたローカル画面構成データ８２であり、構成は、マルチ画面における位置、サイズ、大画面表示計算機における位置、サイズとなっている。
【００４２】
そして、ローカル画面構成データ８２に保存されている表示領域対応情報に基づき、描画命令の座標変換を実施し、表示領域Ｂ２５に対応する大画面表示計算機１０の画面上の表示領域２０の描画を行う描画処理部１２を、大画面表示計算機１０上のプロセスとして生成する。
【００４３】
また、ローカル画面構成データ８２に保存されている表示領域対応情報に基づき、描画命令の座標変換を実施し、表示領域Ｃ２６に対応する大画面表示計算機１０の画面上の表示領域２１の描画を行う描画処理部１３を、大画面表示計算機１０上のプロセスとして生成する。
【００４４】
また、ローカル画面構成データ８２に保存されている表示領域対応情報に基づき、描画命令の座標変換を実施し、表示領域Ｄ２７に対応する大画面表示計算機１０の画面上の表示領域２２の描画を行う描画処理部１４を、大画面表示計算機１０上のプロセスとして生成する。
【００４５】
また、ローカル画面構成データ８２に保存されている表示領域対応情報に基づき、描画命令の座標変換を実施し、表示領域Ｅ２８に対応する大画面表示計算機１０の画面上の表示領域２３の描画を行う描画処理部１５を、大画面表示計算機１０上のプロセスとして生成する。
【００４６】
次に、楕円を表示する際の動作について図１及び図５〜１０を用いて説明する。図５はマルチ画面７０上に楕円を描いた状態を示す図である。この楕円は、マルチ画面７０の画面全体を覆う長方形に内接する楕円である。ここで、楕円を描画する描画命令ＤｒａｗＥｌｌｉｐｓｅ（）の形式を以下とする。
【００４７】
ＤｒａｗＥｌｌｉｐｓｅ（ｘ，ｙ，ｗｉｄｔｈ，ｈｅｉｇｈｔ）
楕円が内接する長方形の左上端位置：（ｘ，ｙ）
楕円が内接する長方形の幅、高さ：（ｗｉｄｔｈ，ｈｅｉｇｈｔ）
すると、図５に示す楕円を描画するための描画命令は、ＤｒａｗＥｌｌｉｐｓｅ（０，０，５１２０，２３０４）となる。
【００４８】
まず、図１において、描画命令が、描画命令送信部３から大画面表示計算機６の描画命令受信部７、及び大画面表示計算機１０の描画命令受信部１１に、ネットワーク６０を介して送信される。
【００４９】
描画命令受信部７は描画命令を受信し、描画処理部８へ渡す。描画処理部８は変換式に基づき、描画命令の座標を変換する。また、描画命令受信部１１は描画命令を受信し、描画処理部１２、１３、１４、１５へ渡す。描画処理部１２、１３、１４、１５は変換式に基づき、描画命令の座標を変換する。
【００５０】
大画面表示計算機６の描画処理部８において、描画命令のＤｒａｗＥｌｌｉｐｓｅ（０，０，５１２０，２３０４）の座標値は、変換式（１）および変換式（２）に基づき、以下のように座標変換される。
【００５１】
座標変換後のｘ  ＝  ０  −  １０２４  ×  ０  ＝  ０
座標変換後のｙ  ＝  ０  −  ７６８  ×  ０  ＝  ０
そして、描画命令はＤｒａｗＥｌｌｉｐｓｅ（０，０，５１２０，２３０４）となる。この描画命令に基づいて、画像が表示領域１８に描画される。図６は大画面表示計算機６の表示領域１８上に楕円が描かれた状態を示す図である。
【００５２】
大画面表示計算機１０の描画処理部１２において、描画命令のＤｒａｗＥｌｌｉｐｓｅ（０，０，５１２０，２３０４）の座標値は、変換式（１）および変換式（２）に基づき、座標変換される。
【００５３】
座標変換後のｘ  ＝  ０  −  １０２４  ×  ０  ＝  ０
座標変換後のｙ  ＝  ０  −  ７６８  ×  ２  ＝  −１５３２
そして、描画命令はＤｒａｗＥｌｌｉｐｓｅ（０，−１５３２，５１２０，２３０４）となる。この描画命令に基づいて、画像が表示領域２０に描画される。図７は大画面表示計算機１０の表示領域２０上に描かれた状態を示す図である。
【００５４】
大画面表示計算機１０の描画処理部１３において、描画命令のＤｒａｗＥｌｌｉｐｓｅ（０，０，５１２０，２３０４）の座標値は、変換式（１）および変換式（２）に基づき、座標変換される。
【００５５】
座標変換後のｘ  ＝  ０  −  １０２４  ×  ２  ＝  −２０４８
座標変換後のｙ  ＝  ０  −  ７６８  ×  ２  ＝  −１５３２
そして、描画命令はＤｒａｗＥｌｌｉｐｓｅ（−２０４８，−１５３２，５１２０，２３０４）となる。この描画命令に基づいて、画像が表示領域２１に描画される。図８は大画面表示計算機１０の表示領域２１上に描かれた状態を示す図である。
【００５６】
大画面表示計算機１０の描画処理部１４において、描画命令のＤｒａｗＥｌｌｉｐｓｅ（０，０，５１２０，２３０４）の座標値は、変換式（１）および変換式（２）に基づき、座標変換される。
【００５７】
座標変換後のｘ  ＝  ０  −  １０２４  ×  ４  ＝  −４０９６
座標変換後のｙ  ＝  ０  −  ７６８  ×  ０  ＝  ０
そして、描画命令はＤｒａｗＥｌｌｉｐｓｅ（−４０９６，０，５１２０，２３０４）となる。この描画命令に基づいて、画像が表示領域２２に描画される。図９は大画面表示計算機１０の表示領域２２上に描かれた状態を示す図である。
【００５８】
大画面表示計算機１０の描画処理部１５において、描画命令のＤｒａｗＥｌｌｉｐｓｅ（０，０，５１２０，２３０４）の座標値は、変換式（１）および変換式（２）に基づき、座標変換される。
【００５９】
座標変換後のｘ  ＝  ０  −  １０２４  ×  ４  ＝  −４０９６
座標変換後のｙ  ＝  ０  −  ７６８  ×  ２  ＝  −１５３２
そして、描画命令はＤｒａｗＥｌｌｉｐｓｅ（−４０９６，−１５３２，５１２０，２３０５）となる。この描画命令に基づいて、画像が表示領域２３に描画される。図１０は大画面表示計算機１０の表示領域２３上に描かれた状態を示す図である。
【００６０】
結果、マルチ画面７０の画面上の１つの楕円が描かれることになる。
【００６１】
本発明は、以上説明したようにマルチ画面を複数の表示領域に分割し、それぞれを大画面表示計算機６、１０の各ローカル画面上で所望に区分した複数の表示領域に割り当て、大画面表示計算機６、１０上で各表示領域毎に描画処理のためのプロセスを生成し、描画命令に含まれる座標値について、マルチ画面上の座標から大画面表示計算機６、１０上の各表示領域のローカル座標に変換してから実行することで、マルチ画面上の分割された表示領域に対応する画像が大画面表示計算機６、１０の所望に区分された表示領域に描画されることになり、結果として、マルチ画面上に一体となった画像を表示することができる。
【００６２】
＜Ａ−３．効果＞
本発明にかかる実施の形態１によれば、大画面制御計算機１により複数の大画面表示計算機６、１０を統括制御し、各大画面表示計算機６、１０は各対応するローカル画面１７、１９に画面出力を行い、各ローカル画面１７、１９はそれぞれ複数のディスプレイ装置を所望に配置してなり、大画面制御計算機１と大画面表示計算機６、１０により、複数のローカル画面１７、１９を所望に組み合わせたマルチ画面７０に画像を表示するマルチ画面表示システムであって、マルチ画面７０に表示する画像の描画命令を与える描画命令部２と、マルチ画面７０と各ローカル画面１７、１９との、対応関係を示す対応情報としてのマルチ画面構成データ８０を設定する設定部としての大画面構成設定部４と、描画命令及びマルチ画面構成データ８０に基づいて、各ローカル画面１７、１９に対応する画像を生成し描画処理に供する描画処理部８、１２、１３、１４、１５とを備えることで、異なる解像度や画面構成を持ったローカル画面１７、１９を所望に組み合わせたマルチ画面７０に画像を表示することが可能となる。
【００６３】
また、本発明にかかる実施の形態１によれば、マルチ画面表示システムにおいて、各ローカル画面１７、１９は、１または複数の表示領域１８、２０、２１、２２、２３に区分され、マルチ画面７０において、各ローカル画面１７、１９は区分された各表示領域１８、２０、２１、２２、２３ごとに分割されて配置されることで、各表示領域１８、２０、２１、２２、２３の所望の組み合わせによってマルチ画面７０を形成し、大画面における画像を表示することができる。
【００６４】
また、本発明にかかる実施の形態１によれば、マルチ画面表示システムにおいて、描画命令と、対応情報としてのマルチ画面構成データ８０とを大画面制御計算機１から大画面表示計算機６、１０に伝達する通信路としてのネットワーク６０をさらに備え、描画処理部８、１２、１３、１４、１５は表示領域１８、２０、２１、２２、２３の各々に対応して各大画面表示計算機６、１０に備えられることで、各大画面表示計算機６、１０において、描画命令とマルチ画面構成データ８０とに基づいて表示領域１８、２０、２１、２２、２３に表示し、全体として大画面における画像を表示することができる。
【符号の説明】
【００６５】
１，２９，３６  大画面制御計算機、２  描画命令部、３  描画命令送信部、４  大画面構成設定部、５  大画面構成管理部、６，１０，３０，３１，３７，３８，３９，４０，４１  大画面表示計算機、７，１１  描画命令受信部、８，１２，１３，１４，１５  描画処理部、９，１６  ローカル画面構成管理部、１７，１９，３２，３３，４３，４４，４５，４６，４７  ローカル画面、１８，２０，２１，２２，２３  表示領域、２４  表示領域Ａ、２５  表示領域Ｂ、２６  表示領域Ｃ、２７  表示領域Ｄ、２８  表示領域Ｅ、３４，４８，７０  マルチ画面、３５，４２，６０  ネットワーク、８０  マルチ画面構成データ、８１，８２  ローカル画面構成データ。
【図１】
2011242422.tif 000003
【図２】
2011242422.tif 000004
【図３】
2011242422.tif 000005
【図４】
2011242422.tif 000006
【図５】
2011242422.tif 000007
【図６】
2011242422.tif 000008
【図７】
2011242422.tif 000009
【図８】
2011242422.tif 000010
【図９】
2011242422.tif 000011
【図１０】
2011242422.tif 000012
【図１１】
2011242422.tif 000013
【図１２】
2011242422.tif 000014